(57)【要約】【課題】コストを押さえ産業上の利用性や経済利得に突破的な改良可能な自動ねじ回し用のねじ支えバンドを提供する。【解決手段】材質は紙であり、二重の半波形の紙層１と紙層２とで構成される。二重紙層１、２は複数のねじ置き孔４と複数の連接部３が交互に連続的に形成されて、ねじ５を各ねじ置き孔４の中にさしこめで置けばすぐ自動ねじ回しに使用可能である。実際に使用する時は各ねじ置き孔４に各ねじをさしこむか又はねじ置き孔４を空にして飛び飛びにねじだけさしこんでもよい。二重の紙層はその中の一重の紙層は平面で別重の紙層は波形にするか、又は両重の紙層を皆波形にするか、又は二重の平面紙層に一重波形層をその中間に挟むことも可能である。更に波形は方形か、円弧形か梯形などでもよい。どの形にしてもその効果は大体同じとなる。【選択図】図２
0003124061.tif 000002
【実用新案登録請求の範囲】
【請求項１】
材質は紙であり、少なくとも二重の紙層で構成され、前記二重の紙層は複数の連接部と複数のねじ置き孔を交互に形成していることを特徴とする自動ねじ回し用のねじ支えバンド。
【請求項２】
前記二重紙層の一層は平面であり、別層は波形であることを特徴とする請求項１記載の自動ねじ回し用のねじ支えバンド。
【請求項３】
前記二重紙層は二層とも波形であることを特徴とする請求項１記載の自動ねじ回し用のねじ支えバンド。
【請求項４】
前記紙層は二層の平面紙と前記二層平面紙の中間に挟まれている一重波形紙層とで構成されていることを特徴とする請求項１記載の自動ねじ回し用のねじ支えバンド。
【請求項５】
前記波形紙層は円弧状の波形であることを特徴とする請求項１記載の自動ねじ回し用のねじ支えバンド。
【請求項６】
前記波形紙層は方形の波形であることを特徴とする請求項１記載の自動ねじ回し用のねじ支えバンド。
【請求項７】
前記波形紙層は梯形の波形であることを特徴とする請求項１記載の自動ねじ回し用のねじ支えバンド。
【請求項８】
前記各連接部ははじき孔を加設していることを特徴とする請求項１記載の自動ねじ回し用のねじ支えバンド。
【請求項９】
前記ねじ支えバンドは二本のバンドで構成され、前記二本バンドの中間空隙は前記連接部に設置されるはじき孔の作用をすることを特徴とする請求項１記載の自動ねじ回し用のねじ支えバンド。
【考案の詳細な説明】
【技術分野】
【０００１】
本考案は、自動ねじ回しに使用するねじ支えバンドに関する。
【背景技術】
【０００２】
従来の一般の自動ねじ回しに使用されるねじ支えバンドはプラスチックで作られている。
【考案の開示】
【考案が解決しようとする課題】
【０００３】
しかしながら従来の自動ねじ回しに使用されるねじ支えバンドは、コストが比較的高く、且つ使用後は捨ててしまうので、物資の浪費のみならず、環境を汚染する。又各種の従来のねじ支えバンドは、ただねじの定位の異なる方式と飾りの変化だけにとどまり、材料は皆環境を汚染するプラスチックが使用されて、産業上の利用性や経済利得に突破的な改良が見られない。
【０００４】
したがって本考案は従来の自動ねじ回し用のねじ支えバンドの欠点を改良し、できるだけ環境を汚染しない材料で作り、同時にそのコストを切り下げることを目的とする。
【課題を解決するための手段】
【０００５】
上述の目的を達成するために、本考案の請求項に記載の自動ねじ回しに使用されるねじ支えバンドは、環境を余り汚染しない紙を材質にしてねじ支えバンドを作る。バンドは少なくとも二重の紙層を使用し、この二重の紙層に複数のねじ置き孔と孔と孔を連接する複数の連接部を交互に設置して、ねじを各ねじ置き孔にはめておけるようにする。更に二重の紙層はその中の一重の紙層は平面で別重の紙層は波形にするか、又は両重の紙層を皆波形にするか、又は二重の平面紙層に一重波形層をその中間に挟むことも可能である。更に波形は方形か、円弧形か梯形などでもよい。どの形にしてもその効果は大体同じとなる。
【考案を実施するための最良の形態】
【０００６】
以下、本考案の実施例を図面に基づいて説明する。
本考案の実施例による自動ねじ回し用のねじ支えバンドは、図１から図４までに第一実施例を示す。材質は紙であり、二重の半波形の紙層１と紙層２とで構成される。二重紙層１、２は複数のねじ置き孔４と複数の連接部３が交互に連続的に形成されて、ねじ５を各ねじ置き孔４の中にさしこめで置けばすぐ自動ねじ回しに使用可能である。実際に使用する時は図５に示すように各ねじ置き孔４に各ねじ５をさしこむか又は図６が示すようにねじ置き孔４を空にして飛び飛びにねじだけさしこんでもよい。
【０００７】
次に図７から図１０までは本考案の第二実施例を示す。自動ねじ回し用のねじ支えバンドはやはり紙を材質とし、一重の平面紙層６と一重の半波形紙層１とで構成され、この二重紙層６、１は複数のねじ置き孔４と複数の連接部３とを交互に設置する。実際に使用する時は図１１が示すように各ねじ置き孔４にねじ５をさしいれておくか、又は図１２が示すようにねじ置き孔を空にして飛び飛びにねじ５をさしいれてもよい。
【０００８】
更に図１３から図１６までは本案の第三実施例を示す。ねじ支えバンドはやはり紙を材質とし、二重の平面紙層６、７とその中間に挟まれる一重波形紙層１とで構成され、波形紙層１にだけ複数の連接部３と複数のねじ置き孔４を交互に形成している。実際に使用する時は各ねじ置き孔４にねじ５をさしこんでおく。
【０００９】
次に図１７と図１８は本案の第四、第五実施例を示し、ねじ支えバンドはやはり紙を材質として、第三実施例と同じく二重の平面紙層６、７とその中間に挟まれる一重の波形紙層１とで構成される。但しその波形は第三実施例の円弧状でなく、方形や梯形などの形状にしている。それで複数の連接部３と複数のねじ置き孔５を交互に設置している。
【００１０】
更に図１９から図２１までは本案の第六、第七実施例を示し、上述の各実施例に更にはじき孔３１を各連接部３に加設し、自動ねじ回しに操作させてねじ支えバンドが移動される。
その外、図２３と図２４とは本案の第八と第九実施例を示し、二本のバンドで組み合わせて構成すると共に各連接部３に図１９から図２１までが示す第六と第七実施例のようにはじき孔３１を加設している。
【００１１】
（考案の効果）
本案の自動ねじ回し用のねじ支えバンドは紙を材質として作っているので、環境の汚染が少なく、コストが安くて産業上の利用性が優れ経済的利得が高い。
【図面の簡単な説明】
【００１２】
【図１】本考案の自動ねじ回し用のねじ支えバンドの第一実施例を示す正面図である。
【図２】図１の上面図である。
【図３】図１の部分拡大した正面図である。
【図４】図３の上面図である。
【図５】本考案の自動ねじ回し用のねじ支えバンドの第一実施例によりねじを付けて使用可能な状態を示す正面図である。
【図６】本考案の自動ねじ回し用のねじ支えバンドの第一実施例によりねじを付けて使用可能な状態の別の例を示す正面図である。
【図７】本考案の自動ねじ回し用のねじ支えバンドの第二実施例を示す正面図である。
【図８】図７の上面図である。
【図９】図７の部分拡大した正面図である。
【図１０】図９の上面図である。
【図１１】本考案の自動ねじ回し用のねじ支えバンドの第二実施例でねじを付けて使用可能な状態を示す正面図である。
【図１２】本考案の自動ねじ回し用のねじ支えバンドの第二実施例でねじを付けて使用可能な状態を示す別の例の正面図である。
【図１３】本考案の自動ねじ回し用のねじ支えバンドの第三実施例を示す正面図である。
【図１４】図１３の上面図である。
【図１５】図１３の部分拡大した正面図である。
【図１６】図１５の上面図である。
【図１７】本考案の自動ねじ回し用のねじ支えバンドの第四実施例を示す正面図である。
【図１８】本考案の自動ねじ回し用のねじ支えバンドの第五実施例を示す正面図である。
【図１９】本考案の自動ねじ回し用のねじ支えバンドの第六実施例でねじを付けている時の正面図である。
【図２０】図１９の上面図である。
【図２１】本考案の自動ねじ回し用のねじ支えバンドの第七実施例でねじを付けている時の正面図である。
【図２２】図２１の上面図である。
【図２３】本考案の自動ねじ回し用のねじ支えバンドの第八実施例でねじを付けている時の正面図である。
【図２４】本考案の自動ねじ回し用のねじ支えバンドの第九実施例でねじを付けている時の正面図である。
【符号の説明】
【００１３】
１  波形紙層、２  波形紙層、３  連接部、４  ねじ置き孔、５  ねじ、６  平面紙層、７  平面紙層、３１  はじき孔
【図１】
0003124061.tif 000003
【図２】
0003124061.tif 000004
【図３】
0003124061.tif 000005
【図４】
0003124061.tif 000006
【図５】
0003124061.tif 000007
【図６】
0003124061.tif 000008
【図７】
0003124061.tif 000009
【図８】
0003124061.tif 000010
【図９】
0003124061.tif 000011
【図１０】
0003124061.tif 000012
【図１１】
0003124061.tif 000013
【図１２】
0003124061.tif 000014
【図１３】
0003124061.tif 000015
【図１４】
0003124061.tif 000016
【図１５】
0003124061.tif 000017
【図１６】
0003124061.tif 000018
【図１７】
0003124061.tif 000019
【図１８】
0003124061.tif 000020
【図１９】
0003124061.tif 000021
【図２０】
0003124061.tif 000022
【図２１】
0003124061.tif 000023
【図２２】
0003124061.tif 000024
【図２３】
0003124061.tif 000025
【図２４】
0003124061.tif 000026